(57)【特許請求の範囲】
【請求項１】
対物レンズが取り付けられたレンズホルダを移動可能に支持するホルダ支持部と該レンズホルダを少なくともフォーカス方向へ駆動する電磁駆動部とがベース部材上に配設されているアクチュエータと、前記ベース部材を載置固定して前記アクチュエータを保持すると共に、前記対物レンズを介してディスクに光ビームを出射する発光素子および該ディスクからの戻り光ビームを受光する受光素子が取り付けられる光学シャーシとを備えた光学式ピックアップにおいて、
前記ベース部材に前記レンズホルダの底面と対向して該レンズホルダが遊挿可能な大きさの透孔を設けると共に、前記光学シャーシに前記透孔を介して前記レンズホルダの底面と対向するストッパ部を設け、前記レンズホルダのフォーカス方向に沿う反ディスク側への許容移動量を前記ストッパ部にて規定することを特徴とする光学式ピックアップ。
【請求項２】
請求項１の記載において、前記光学シャーシに前記透孔内を貫通する一対の規制部を立設し、これら規制部にて前記レンズホルダのトラッキング方向に沿う許容移動量を規定することを特徴とする光学式ピックアップ。
【発明の詳細な説明】
【０００１】
【発明の属する技術分野】
本発明は、ＣＤ（コンパクトディスク）やＭＤ（ミニディスク）あるいはＤＶＤ（デジタルバーサタイルディスク）等のディスクに対して信号を記録／再生する光学式ピックアップに係り、特に、薄型化に好適な光学式ピックアップに関する。
【０００２】
【従来の技術】
光学式ピックアップは、一般に、発光素子および受光素子が取り付けられた光学シャーシと、対物レンズが取り付けられたレンズホルダを搭載し光学シャーシ上に保持されたアクチュエータと、対物レンズを露出させた状態でアクチュエータを内包するカバーとによって概略構成され、アクチュエータにはレンズホルダをディスクのフォーカス方向およびトラッキング方向へ駆動するための電磁駆動機構が具備されている。このような光学式ピックアップは、ＣＤプレーヤ等の光ディスクプレーヤに組み込まれて使用され、半導体レーザ等の発光素子から出射された光ビームが対物レンズによってディスクの記録面に集光されると共に、該ディスクからの戻り光ビームが対物レンズを介して受光素子にて受光されるようになっている。
【０００３】
図９はこの種の光学式ピックアップの従来例を示す分解斜視図、図１０は該光学式ピックアップに用いられているアクチュエータの平面図、図１１は該アクチュエータの断面図である。これらの図に示す従来の光学式ピックアップは、アルミニウム等の金属材料からなる光学シャーシ１と、対物レンズ２が取り付けられたレンズホルダ３を搭載して光学シャーシ１上に保持されたアクチュエータ４と、対物レンズ２を露出させた状態でアクチュエータ４を内包するカバー５とで概略構成されている。
【０００４】
光学シャーシ１は図示せぬガイドシャフトに沿ってディスクの半径方向へ往復移動されるもので、その底板部から起立する起立部６に大径の取付孔７と図示せぬ小径の貫通孔が連設されており、半導体レーザと受光素子をユニット化した受発光素子（ホログラムユニット）８が取付孔７内に収納されている。受発光素子８は支持板９に覆われており、この支持板９は起立部６の外側面にねじ止めされている。また、受発光素子８はフレキシブルプリント基板１０ａを介して図示せぬ信号処理回路に接続されている。光学シャーシ１の底板部の略中央には反射ミラー１１が４５度の取付角度で固定されており、受発光素子８から出射された光ビームは前記貫通孔を通って反射ミラー１１で垂直方向に反射され、その戻り光ビームは反射ミラー１１で水平方向に反射された後に該貫通孔を通って受発光素子８で受光される。
【０００５】
アクチュエータ４は、対物レンズ２が取り付けられて図示せぬコイルが巻装されたレンズホルダ３と、このレンズホルダ３を複数本のワイヤ１２を介して弾性的に支持しているホルダ支持部材１３と、レンズホルダ３の許容移動量を規定するためのストッパ面１５ａやストッパ壁１５ｂを有して一対のマグネット１４が取り付けられたマグネット支持部材１５と、このマグネット支持部材１５やホルダ支持部材１３を載置固定しているベース部材１６とによって構成されている。ベース部材１６はヨークを兼ねており、このベース部材１６とマグネット１４および前記コイル（フォーカスコイルおよびトラッキングコイル）などで構成される電磁駆動機構が、レンズホルダ３をディスクのフォーカス方向およびトラッキング方向へ駆動する。これらアクチュエータ４の構成部品はスナップ結合等の手段でホルダ支持部材１３あるいはベース部材１６に被着された防塵用のカバー５で覆われているが、カバー５の上面には対物レンズ２を露出させる開口５ａが形成されているので、光ビームの通過は妨げられない。なお、ホルダ支持部材１３に取り付けられているフレキシブルプリント基板１０ｂは、ワイヤ１２を介して前記コイルと電気的に接続されている。
【０００６】
このアクチュエータ４は光学シャーシ１の底板部上に載置されて、コイルばね１７に挿通した取付ねじ１８をベース部材１６の上方から光学シャーシ１に螺合させると共に、２本の調整ねじ１９を光学シャーシ１の下方からベース部材１６に螺合させることにより、対物レンズ２の光軸を調整した状態でベース部材１６が光学シャーシ１に固定される。つまり、ディスクの記録面に対して正確に信号を記録／再生するためには、反射ミラー１１の真上に位置する対物レンズ２の光軸をディスクの記録面に対して垂直に設定しておく必要があるが、レンズホルダ３は複数本のワイヤ１２やホルダ支持部材１３を介してベース部材１６上に支持されているので、アクチュエータ４の組立段階でレンズホルダ３とベース部材１６とが若干ねじれた位置関係（レンズホルダ３の底面とベース部材１６の底板部の上面とが非平行となる位置関係）になってしまうことは避けがたく、そのため光学シャーシ１上にアクチュエータ４を取り付ける際には対物レンズ２の光軸調整を実施しておかねばならない。具体的な光軸調整作業について説明すると、ベース部材１６の底部には図１１に示すように、対物レンズ２の光軸を中心とする環状の球面２０が形成されていて、２本の調整ねじ１９を螺進退させることにより、この球面２０を摺動面としてベース部材１６を光学シャーシ１上で揺動させ、対物レンズ２の光軸がディスクの記録面に対して垂直になるようにアクチュエータ４の取付姿勢を調整する。
【０００７】
また、複数本のワイヤ１２に弾性支持されているレンズホルダ３が過度に移動すると、これらワイヤ１２のばね性が劣化する恐れがあるので、アクチュエータ４の構成部品であるマグネット支持部材１５には予め、レンズホルダ３のフォーカス方向に沿う反ディスク側への許容移動量を規定するストッパ面１５ａと、レンズホルダ３のトラッキング方向に沿う許容移動量を規定する一対のストッパ壁１５ｂが設けてある。すなわち、レンズホルダ３がフォーカス方向に沿って許容移動範囲の最下点まで移動すると、ストッパ面１５ａがレンズホルダ３の底面に衝当してそれ以上の移動を規制し、また、レンズホルダ３がトラッキング方向に沿って許容移動範囲の限界まで移動すると、ストッパ壁１５ｂがレンズホルダ３の側面に衝当してそれ以上の移動を規制するようになっている。なお、レンズホルダ３がフォーカス方向に沿って許容移動範囲の最上点まで移動した場合は、カバー５の開口５ａの周縁部がレンズホルダ３の上面に衝当して位置規制するようになっている。
【０００８】
【発明が解決しようとする課題】
ところで、この種の光学式ピックアップに対しては近時、薄型化の促進が強く要望されているが、上述した従来構造の場合、レンズホルダ３の最下点の下方にマグネット支持部材１５とベース部材１６と光学シャーシ１とが積層されており、これら各部材の厚みを低減させることにも限界があるため、積層部材の板厚の累積により所望の薄型化が図りにくいという不具合があった。
【０００９】
また、この種の光学式ピックアップでは、光学シャーシ１上にアクチュエータ４を取り付ける段階で、対物レンズ２の光軸がディスクの記録面に対して垂直になるような調整を行うが、その際、上述した従来構造ではレンズホルダ３に対してねじれた位置関係にあるベース部材１６やマグネット支持部材１５は、対物レンズ２の光軸調整が完了した状態において光学シャーシ１上で若干傾いていることになるので、マグネット支持部材１５に形成されているストッパ面１５ａにも同様の傾きが生じてしまう。つまり、レンズホルダ３の底面とストッパ面１５ａとが非平行な状態で組立作業が完了することになる。それゆえ、この傾きを考慮せずに設計した場合には、レンズホルダ３の底面とストッパ面１５ａとの間隔が実質的に設計値よりも小さくなるため、レンズホルダ３が設計上の最下点に到達する前にストッパ面１５ａに衝当してしまうので、フォーカスサーボに支障をきたすこととなる。そこで従来、予めストッパ面１５ａに若干の傾きが生じることを考慮して、レンズホルダ３とストッパ面１５ａとの間隔に余裕をもたせた設計にすることもあるが、その場合、光学式ピックアップの薄型化は一層困難になってしまう。
【００１０】
【課題を解決するための手段】
本発明は、レンズホルダ用のストッパ部を有するマグネット支持部材を省略すると共に、アクチュエータのベース部材にレンズホルダが遊挿可能な透孔を設けておき、この透孔内に臨出する光学シャーシにてレンズホルダの最下点を規定することとする。このように構成すると、レンズホルダの最下点の下方には光学シャーシのみが存することになるので、前述した従来の光学式ピックアップに比べてアクチュエータのマグネット支持部材およびベース部材の板厚相当分の薄型化が容易に図れる。また、レンズホルダとベース部材とがねじれた位置関係にあっても、対物レンズの光軸を調整すればレンズホルダと光学シャーシは平行な位置関係に設定されるので、光学シャーシに設けたストッパ部がレンズホルダの底面に対して傾いてレンズホルダの最下点に誤差を生じる恐れもなくなる。
【００１１】
【発明の実施の形態】
本発明の光学式ピックアップでは、対物レンズ取り付けられたレンズホルダを移動可能に支持するホルダ支持部と該レンズホルダを少なくともフォーカス方向へ駆動する電磁駆動部とがベース部材上に配設されているアクチュエータと、前記ベース部材を載置固定して前記アクチュエータを保持すると共に、前記対物レンズを介してディスクに光ビームを出射する発光素子および該ディスクからの戻り光ビームを受光する受光素子が取り付けられる光学シャーシとを備えた光学式ピックアップにおいて、前記ベース部材に前記レンズホルダの底面と対向して該レンズホルダが遊挿可能な大きさの透孔を設けると共に、前記光学シャーシに前記透孔を介して前記レンズホルダの底面と対向するストッパ部を設け、前記レンズホルダのフォーカス方向に沿う反ディスク側への許容移動量を前記ストッパ部にて規定するように構成した。
【００１２】
このような構成の光学式ピックアップでは、レンズホルダがフォーカス方向に沿って反ディスク側へ所定量移動（下降）すると、ベース部材の透孔内へ入り込んだレンズホルダの底面が光学シャーシのストッパ部に衝当して位置規制され、そこがレンズホルダの最下点となる。したがって、レンズホルダの最下点の下方には光学シャーシのみを設ければよくなり、薄型化が図りやすくなる。また、例えばムービングコイル方式の光学式ピックアップの場合、マグネットをアクチュエータのベース部材に直接取り付けるなどしておけば、従来品のようにレンズホルダ移動量を規制するためのストッパ部を有するマグネット支持部材を組み込む必要がなくなるので、部品点数も削減できる。また、レンズホルダとアクチュエータのベース部材がねじれの位置関係にあっても、アクチュエータを光学シャーシ上に取り付ける段階で対物レンズの光軸を調整すれば、レンズホルダと光学シャーシは自動的に平行な位置関係に設定されるので、光学シャーシに設けたストッパ部とレンズホルダの底面との間隔は高精度に規定できる。それゆえ、レンズホルダの最下点の位置精度が高まると共に、光学シャーシのストッパ部の傾きを考慮した余裕をもたせた設計を行う必要がなくなり、薄型化が一層促進しやすくなる。
【００１３】
また、上記の構成において、光学シャーシに透孔内を貫通する一対の規制部を立設し、これら規制部にてレンズホルダのトラッキング方向に沿う許容移動量を規定するようにしておけば、レンズホルダ用のストッパ部をすべて光学シャーシに設けた簡素な構成の光学式ピックアップが得られるので、より好ましい。
【００１４】
【実施例】
実施例について図面を参照して説明すると、図１は本発明の一実施例に係る光学式ピックアップを示す分解斜視図、図２は該光学式ピックアップに備えられる光学シャーシの拡大図、図３は該光学シャーシの平面図、図４は該光学式ピックアップに備えられるベース部材の拡大図、図５は該光学式ピックアップに備えられるアクチュエータの平面図、図６は該アクチュエータの側面図、図７は該光学式ピックアップの全体平面図、図８は該光学式ピックアップをカバーを省略して示す断面図である。ただし、これらの図において、図９〜図１１と対応する部分には同一符号を付し、重複する説明は適宜省略する。
【００１５】
図１および図７，８に示す光学式ピックアップは、取付孔７内に受発光素子８が収納された光学シャーシ１と、対物レンズ２が接着されたレンズホルダ３を搭載して光学シャーシ１上に保持されたアクチュエータ４と、対物レンズ２を露出させた状態でアクチュエータ４を内包するカバー５とで概略構成されている。
【００１６】
光学シャーシ１の底板部の略中央には反射ミラー１１が４５度の取付角度で固定されており、受発光素子８から出射された光ビームは反射ミラー１１で垂直方向に反射され、その戻り光ビームは反射ミラー１１で水平方向に反射された後に受発光素子８で受光される。図２から明らかなように、この光学シャーシ１の底板部には、レンズホルダ３のフォーカス方向に沿う反ディスク側への許容移動量を規定する平坦部である一対のストッパ面１ａと、レンズホルダ３のトラッキング方向に沿う許容移動量を規定する垂直な起立部である一対のストッパ壁１ｂとが設けてある。
【００１７】
アクチュエータ４は、図示せぬコイルが巻装されたレンズホルダ３と、このレンズホルダ３を複数本のワイヤ１２を介して弾性的に支持しているホルダ支持部材１３と、このホルダ支持部材１３を載置固定し、かつ一対のマグネット取付部１６ａにそれぞれマグネット１４が取り付けられているベース部材１６とによって構成されている。ベース部材１６の上記マグネット取付部１６ａはヨークを兼ねており、このベース部材１６とマグネット１４および前記コイル（フォーカスコイルおよびトラッキングコイル）などで構成される電磁駆動機構が、レンズホルダ３をディスクのフォーカス方向およびトラッキング方向へ駆動する。また、このベース部材１６には、レンズホルダ３の底面と対向して該レンズホルダ３が遊挿可能な大きさの透孔１６ｂが設けてあり、この透孔１６ｂを介して光学シャーシ１のストッパ面１ａとレンズホルダ３の底面とを対向させている。これらアクチュエータ４の構成部品は、ホルダ支持部材１３あるいはベース部材１６に被着された防塵用のカバー５で覆われているが、カバー５には対物レンズ２を露出させる開口５ａが形成されているので光ビームの通過は妨げられない。また、レンズホルダ３がフォーカス方向に沿って許容移動範囲の最上点まで移動した場合は、カバー５の開口５ａの周縁部がレンズホルダ３の上面に衝当して、このレンズホルダ３がそれ以上上方へ移動しないよう位置規制するようになっている。つまり、レンズホルダ３のフォーカス方向に沿うディスク側への許容移動量は、カバー５によって規定される。なお、ホルダ支持部材１３に取り付けられているフレキシブルプリント基板１０ｂは、ワイヤ１２を介して前記コイルと電気的に接続されている。
【００１８】
このアクチュエータ４を光学シャーシ１に取り付ける際には、コイルばね１７に挿通した取付ねじ１８と２本の調整ねじ１９を用いて、対物レンズ２の光軸を調整した状態でベース部材１６を光学シャーシ１の底板部に固定する。具体的に述べると、ベース部材１６の底部の３個所には、対物レンズ２の光軸を中心とする同一円周上に配置された半球状の突部１６ｃ（図６，８参照）が形成されており、これらの突部１６ｃをそれぞれ光学シャーシ１の底板部の３個所に形成されているテーパ面１ｃ（図３参照）に接触させた状態で、ベース部材１６は光学シャーシ１上に搭載される。そして、光学シャーシ１の下方からベース部材１６に螺合させた２本の調整ねじ１９を螺進退させることにより、各突部１６ｃとテーパ面とを摺動させてベース部材１６を光学シャーシ１上で揺動させ、対物レンズ２の光軸がディスクの記録面に対して垂直になるようにアクチュエータ４の取付姿勢を調整する。その際、レンズホルダ３とベース部材１６とがねじれた位置関係（レンズホルダ３の底面とベース部材１６の底面とが非平行となった位置関係）になっていても、対物レンズ２の光軸を反射ミラー１１で垂直方向に反射された光ビームの光軸と平行になるように調整すればレンズホルダ３の底面と光学シャーシ１の底板部の上面は自動的に平行な位置関係に設定されるので、光学シャーシ１のストッパ面１ａとレンズホルダ３の底面との間隔は高精度に規定できる。
【００１９】
一方、ベース部材１６を光学シャーシ１上に搭載する際に、一対のストッパ壁１ｂはそれぞれベース部材１６の透孔１６ｂに挿通されてレンズホルダ３の両側に位置するようになっており、レンズホルダ３のトラッキング方向への許容移動量がこのストッパ壁１ｂによって規定される。なお、ベース部材１６を光学シャーシ１上に押し付けるための付勢部材としては、上記コイルばね１７以外に板ばね等であってもよい。
【００２０】
このように本実施例においては、レンズホルダ３がフォーカス方向に沿って反ディスク側へ所定量下降すると、ベース部材１６の透孔１６ｂ内へ入り込んだレンズホルダ３の底面が光学シャーシ１のストッパ面１ａに衝当し、そこがレンズホルダ３の最下点となるように設計されており、レンズホルダ３の最下点の下方には光学シャーシ１のみを設置すればよい構成になっているので、光学式ピックアップ全体の高さ寸法が従来品よりも低減されている。すなわち、本実施例と同じムービングコイル方式の従来の光学式ピックアップの場合、レンズホルダの最下点の下方にマグネット支持部材とベース部材と光学シャーシを積層し、該マグネット支持部材にレンズホルダの移動量を規制するためのストッパ部を設けているので、本実施例に比べて、マグネット支持部材およびベース部材の板厚相当分だけ光学式ピックアップの厚みが増してしまう。また、本実施例では、レンズホルダ３の最下点を規定するストッパ面１ａだけでなく、レンズホルダ３のトラッキング方向に沿う許容移動量を規定するストッパ壁１ｂも光学シャーシ１に設けてあり、かつマグネット１４をベース部材１６に直接取り付ける構成にしてあるので、従来品のようにストッパ機能を有するマグネット支持部材を組み込む必要がなく、部品点数が削減されている。さらにまた、本実施例では、光学シャーシ１に設けたストッパ面１ａとレンズホルダ３の底面とを平行に、且つその間隔が高精度に規定できることから、レンズホルダ３の最下点の位置精度が高まると共に、光学シャーシ１のストッパ面１ａに対するレンズホルダ３の底面の傾きを考慮した余裕をもたせた設計を行う必要がなくなり、薄型化が一層促進しやすくなっている。
【００２１】
なお、上述した実施例では、レンズホルダに巻回されたコイルやベース部材に固定されたマグネットなどで電磁駆動機構を構成しているムービングコイル方式の光学式ピックアップについて説明したが、本発明は、レンズホルダに固定されたマグネットやベース部材に固定されたコイルなどで電磁駆動機構が構成されるムービングマグネット方式の光学式ピックアップにも適用可能である。
【００２２】
【発明の効果】
本発明は、以上説明したような形態で実施され、以下に記載されるような効果を奏する。
【００２３】
アクチュエータのベース部材にレンズホルダの底面と対向して該レンズホルダが遊挿可能な大きさの透孔を設けると共に、光学シャーシに前記透孔を介してレンズホルダの底面と対向するストッパ部を設け、レンズホルダのフォーカス方向に沿う反ディスク側への許容移動量を前記ストッパ部にて規定するようにした光学式ピックアップなので、レンズホルダの最下点の下方には光学シャーシのみが存することとなり、従来品に比べて薄型化が容易に図れる。また、レンズホルダとベース部材とが互いにねじれた（非平行な）位置関係にあっても、対物レンズの光軸を調整すればレンズホルダと光学シャーシは平行な位置関係に設定されるので、光学シャーシに設けたストッパ部がレンズホルダの底面に対して傾いてレンズホルダの最下点に誤差を生じる恐れもなくなる。
【００２４】
また、光学シャーシに前記透孔内を貫通する一対の規制部を立設し、これら規制部にてレンズホルダのトラッキング方向に沿う許容移動量を規定するようにしておけば、レンズホルダ用のストッパ部をすべて光学シャーシに設けた簡素な構成の光学式ピックアップが得られる。
【図面の簡単な説明】
【図１】本発明の一実施例に係る光学式ピックアップを示す分解斜視図である。
【図２】該光学式ピックアップに備えられる光学シャーシの拡大図である。
【図３】該光学シャーシの平面図である。
【図４】該光学式ピックアップに備えられるベース部材の拡大図である。
【図５】該光学式ピックアップに備えられるアクチュエータの平面図である。
【図６】該アクチュエータの側面図である。
【図７】該光学式ピックアップの全体平面図である。
【図８】該光学式ピックアップをカバーを省略して示す断面図である。
【図９】従来の光学式ピックアップを示す分解斜視図である。
【図１０】該光学式ピックアップに用いられているアクチュエータの平面図である。
【図１１】該アクチュエータの断面図である。
【符号の説明】
１  光学シャーシ
１ａ  ストッパ面（ストッパ部）
１ｂ  ストッパ壁（規制部）
１ｃ  テーパ面
２  対物レンズ
３  レンズホルダ
４  アクチュエータ
５  カバー
５ａ  開口
８  受発光素子
１０ａ，１０ｂ  フレキシブルプリント基板
１１  反射ミラー
１２  ワイヤ
１３  ホルダ支持部材
１４  マグネット
１６  ベース部材
１６ａ  マグネット取付部
１６ｂ  透孔
１６ｃ  突部
１８  取付ねじ
１９  調整ねじ
【図１】
0003727826.tif 000002
【図２】
0003727826.tif 000003
【図３】
0003727826.tif 000004
【図４】
0003727826.tif 000005
【図５】
0003727826.tif 000006
【図６】
0003727826.tif 000007
【図７】
0003727826.tif 000008
【図８】
0003727826.tif 000009
【図９】
0003727826.tif 000010
【図１０】
0003727826.tif 000011
【図１１】
0003727826.tif 000012